【手続補正書】
【提出日】平成24年7月27日(2012.7.27)
【手続補正１】
【補正対象書類名】明細書
【補正対象項目名】００５７
【補正方法】変更
【補正の内容】
【００５７】
続いて、図２を参照して、第１の実施例としての蓋体支持密閉構造例について説明する。図２に示す蓋体支持密閉機構３０は蓋体支持密閉構造を成すものであり、噴流はんだ付け装置１００の熱処理部２０及び冷却処理部９０（図１参照）に備えられる。上述した熱処理部２０及び冷却処理部９０は、図５に示すような断面凹状の長尺溝構造を有している。熱処理部２０は溝構造上部に開口部２０１を有し、冷却処理部９０は溝構造上部に開口部９０１を有している。蓋体支持密閉機構３０は開口部２０１や、開口部９０１等を密閉するための天板取り付け機構を提供する。
【手続補正２】
【補正対象書類名】明細書
【補正対象項目名】００９０
【補正方法】変更
【補正の内容】
【００９０】
続いて、図９〜図１２を参照して、仕切部材可動機構４０を含む蓋体３１の組立例について説明する。この例では、図１２に示す１１本のスリット４１が下部板３０４の所定の位置に開口され、スリット４１毎に図１１に示したラビリンス部４３を通すようになされる。全てのラビリンス部４３は摺動基板４４に共通して取り付ける。その際にラビリンス部４３は列単位毎に摺動基板４４のスリット４９に挿入する。ラビリンス部４３は、その一端が下部板３０４のスリット４１毎に通されて熱処理部２０の側に吊設して（垂れ下がる状態で）使用される。
【手続補正３】
【補正対象書類名】明細書
【補正対象項目名】０１０８
【補正方法】変更
【補正の内容】
【０１０８】
続いて、図１４及び図１５を参照して、第３の実施例として両端ガス供給機構７０の構成例について説明する。図１４に示す両端ガス供給機構７０は、図１に示した噴流はんだ付け装置１００に備えられる。両端ガス供給機構７０は、図１に示した１組のガス供給部７１，７２と、図１４に示すノズル管路７５と、拡散部材７６ａ，７６ｂから構成される。
【手続補正４】
【補正対象書類名】明細書
【補正対象項目名】０１１０
【補正方法】変更
【補正の内容】
【０１１０】
この例で、噴流はんだ槽６０上の周囲縁部には拡散部材７６ａ，７６ｂが備えられ、ノズル管路７５から噴出される窒素ガスを噴流はんだ槽６０上の周囲縁部に拡散するようになされる。拡散部材７６ａ，７６ｂは、チャンバー５０の開口部５０２の下方に配置される。
【手続補正５】
【補正対象書類名】明細書
【補正対象項目名】０１１６
【補正方法】変更
【補正の内容】
【０１１６】
この例では、管路接続部７０２に隣接して管路接続部７０３がアングル架台７７に取り付けられる。管路接続部７０３には、窒素ガス検出用の開放管路７８が接続される。開放管路７８は噴流はんだ槽６０上の窒素ガスの濃度を測定するために設けられる。開放管路７８は先端がＵ字部位７８ａを成し、このＵ字部位７８ａは窒素ガスを取り込む開放口７０８を有している。開放口７０８は、プリント基板１の搬送方向であって、その下流側に向くように設定されている。この開放口７０８を下流側に向くようにしたのは、拡散部材７６ａ内の窒素ガスをより正確に測定することと、開放口７０８に溶融はんだ７が入り込まないようにするためである。
【手続補正６】
【補正対象書類名】明細書
【補正対象項目名】０１２１
【補正方法】変更
【補正の内容】
【０１２１】
また、図中の分離壁部７９は所定の厚みを有した板金部材から構成され、ノズル管路７５の水平部分７５ｃ（図１５参照）のほぼ中心部位に対向する位置であって、チャンバー５０の下方の仕切壁部５８から突出するように設けられる。分離壁部７９は、ノズル管路４５の左側の４個のガス噴出口７０４から噴出された窒素ガスの拡散領域と、右側の４個のガス噴出口７０４から噴出された窒素ガスの拡散領域とを分離（画定）するように機能する。
【手続補正７】
【補正対象書類名】明細書
【補正対象項目名】０１４３
【補正方法】変更
【補正の内容】
【０１４３】
続いて、図２０〜図２３を参照して、第４の実施例としての蓋体ユニット８０の構成例及びその機能例について説明する。図２０に示す蓋体ユニット８０は噴流はんだ付け装置１００のチャンバー５０上に取り付けられる。この例では、図１６に示した拡散ノズル５１，５２を内包するチャンバー５０の上方側に、蓋体ユニット８０が取り付けられる。蓋体ユニット８０は、スリット付きの筺体構造（扁平筺体空間）の本体部８４を有している。
【手続補正８】
【補正対象書類名】明細書
【補正対象項目名】０１４５
【補正方法】変更
【補正の内容】
【０１４５】
雰囲気送入口８０１にはＬ状の吸気管８８が接続され、フラックスヒュームを除去した窒素ガスを含む雰囲気が供給される。雰囲気排出口８０２にもＬ状の排気管８９が接続され、フラックスヒュームを含んだ雰囲気が排出される。このように吸気管８８，８９を蓋体ユニット８０の側面に配置したことで、管路部材等が垂直方向へ延在する事態が避けられ、図１に示した噴流はんだ装置１００の全体高さを低く設計できるようになった。
【手続補正９】
【補正対象書類名】明細書
【補正対象項目名】０１５５
【補正方法】変更
【補正の内容】
【０１５５】
図２１で完成した蓋体ユニット８０を図２２に示すチャンバー５０上に取り付ける。このとき、蓋体ユニット８０のスリット８０６の側をチャンバー５０の開口部５０１に位置合わせする。その後、排気管８９と吸気管路８１１とを接続する。吸気管路８１１は雰囲気清浄化部８１から予め立ち上げて置くとよい。更に、吸気管８８と排気管路８１２とを接続する。排気管路８１２はファン８１３から立ち上げて置くとよい。ファン８１３には送風機が使用される。これにより、蓋体ユニット８０と、チャンバー５０、雰囲気清浄化部８１及びファン８１３とを組み上げることができる。
【手続補正１０】
【補正対象書類名】明細書
【補正対象項目名】０１５８
【補正方法】変更
【補正の内容】
【０１５８】
そして、蓋体ユニット８０から排出される雰囲気を雰囲気清浄化部８１で清浄化してフラックスヒュームを除去する。フラックスヒュームは雰囲気清浄化部８１で結露（凝結）されてパイプ８２の外周部位に付着する。フラックスヒューム除去後の窒素ガスを含んだ雰囲気（窒素ガス雰囲気）は、雰囲気清浄化部８１から、排気管路８１２及び吸気管８８を経由し、雰囲気送入口８０１を介して蓋体ユニット８０に供給される。
【手続補正１１】
【補正対象書類名】明細書
【補正対象項目名】０１６１
【補正方法】変更
【補正の内容】
【０１６１】
モニタ１６は噴流はんだ付け処理に係る設定画面等を表示データＤ１６に基づいて表示する。モニタ１６には、例えば、タッチパネル付きの液晶表示装置が使用される。タッチパネルは、入力部６４の一部を構成する。表示データＤ１６には、プリント基板１にはんだ付けされる電子部品の高さ情報や、プリント基板１にはんだ付けされる電子部品の実装分布情報等が含まれる。この他に、表示データＤ１６は電子部品がはんだ付けされる基板の枚数情報や、はんだ付け処理条件を示す設定情報等である。
【手続補正１２】
【補正対象書類名】明細書
【補正対象項目名】０１６５
【補正方法】変更
【補正の内容】
【０１６５】
予熱駆動部２５は制御部６５から入力した予備加熱制御データＤ２５に基づいて発熱制御信号Ｓ２１〜Ｓ２４を生成する。予熱駆動部２５には複数のヒーター（発熱体）２６〜２９が接続される。この例では、ヒーター２６〜２９は４つの予備加熱ゾーン２１〜２４に配置される（図１参照）。予備加熱ゾーン２１には、ヒーター２６が設けられ、発熱制御信号Ｓ２１に基づいて発熱する。予備加熱ゾーン２２には、ヒーター２７が設けられ、発熱制御信号Ｓ２２に基づいて発熱する。予備加熱ゾーン２３には、ヒーター２８が設けられ、発熱制御信号Ｓ２３に基づいて発熱する。予備加熱ゾーン２４には、ヒーター２９が設けられ、発熱制御信号Ｓ２４に基づいて発熱する。これらの発熱によって、プリント基板１が予備加熱処理される。
【手続補正１３】
【補正対象書類名】明細書
【補正対象項目名】０１８０
【補正方法】変更
【補正の内容】
【０１８０】
予備加熱ゾーン２１では、発熱制御信号Ｓ２１に基づいてヒーター２６が発熱し、例えば、温度１００℃を維持する。予備加熱ゾーン２２では、発熱制御信号Ｓ２２に基づいてヒーター２７が発熱し、例えば、温度１４０℃を維持する。予備加熱ゾーン２３では、発熱制御信号Ｓ２３に基づいてヒーター２８が発熱し、温度１８０℃を維持する。予備加熱ゾーン２４では、発熱制御信号Ｓ２４に基づいてヒーター２９が発熱し、温度２２０℃を維持する。これらの予備加熱ゾーン２１〜２４によって、プリント基板１が予備加熱処理される。
【手続補正１４】
【補正対象書類名】図面
【補正対象項目名】図１
【補正方法】変更
【補正の内容】
【図１】
2011218417.tif 000001
【手続補正１５】
【補正対象書類名】図面
【補正対象項目名】図４
【補正方法】変更
【補正の内容】
【図４】
2011218417.tif 000002
【手続補正１６】
【補正対象書類名】図面
【補正対象項目名】図７
【補正方法】変更
【補正の内容】
【図７】
2011218417.tif 000003
【手続補正１７】
【補正対象書類名】図面
【補正対象項目名】図８
【補正方法】変更
【補正の内容】
【図８】
2011218417.tif 000004
【手続補正１８】
【補正対象書類名】図面
【補正対象項目名】図１１
【補正方法】変更
【補正の内容】
【図１１】
2011218417.tif 000005
【手続補正１９】
【補正対象書類名】図面
【補正対象項目名】図１３
【補正方法】変更
【補正の内容】
【図１３】
2011218417.tif 000006
【手続補正２０】
【補正対象書類名】図面
【補正対象項目名】図２０
【補正方法】変更
【補正の内容】
【図２０】
2011218417.tif 000007
【手続補正２１】
【補正対象書類名】図面
【補正対象項目名】図２２
【補正方法】変更
【補正の内容】
【図２２】
2011218417.tif 000008
【手続補正２２】
【補正対象書類名】図面
【補正対象項目名】図２４
【補正方法】変更
【補正の内容】
【図２４】
2011218417.tif 000009